(57)【特許請求の範囲】
【請求項１】
無線で情報を転送するための平面アンテナにおいて、
無線通信回路の駆動ノードに結合された折り畳まれた導電性ストリップ部分を含んでなり、前記導電性ストリップ部分は、
互いから水平方向に偏移され互いと少なくとも部分的に水平方向に重なる少なくとも２つのセグメントと、
平面アンテナの平面上で第１の軸に沿って方向付けられた第１の領域と、平面アンテナの平面上で第２の軸に沿って方向付けられた第２の領域と、前記第１および第２の軸と前記第１および第２の領域とは前記平面アンテナからの放射の偏波ダイバーシティを与えるように特定されることと、
前記折り畳まれた導電性ストリップ部分に結合されたスタブと、
前記折り畳まれた導電性ストリップ部分は、無線通信回路の駆動ノードに平面負荷部分を通して結合され、前記平面負荷部分は前記無線通信回路の前記駆動ノードに対して遠位の縁部を含んでなることとを備え、
前記折り畳まれた導電性ストリップ部分および前記スタブは、前記折り畳まれた導電性ストリップ部分に沿った物理的な経路全長に対応するモードを使用して与えられる第１の規定された周波数範囲であって、共振、またはその近傍の周波数範囲を与えるべく形成され、かつ
前記折り畳まれた導電性ストリップ部分は物理的経路全長の約半分に対応するモードを使用して、共振、またはその近傍にて第２のより高い規定された動作周波数の範囲を与えるように形成され、
前記平面負荷部分は、前記第２の規定された動作周波数の範囲または別のより高い規定された動作周波数の範囲の規定された帯域幅を与え、前記第１の規定された動作周波数の範囲を実質的に変えないままにしておくように形成される、平面アンテナ。
【請求項２】
前記平面負荷部分の物理的長さが、有効波長の約１／４であり、
前記有効波長は、前記第１の規定された動作周波数の範囲と前記第２の規定された動作周波数の範囲の間の中間周波数に対応する、請求項１に記載の平面アンテナ。
【請求項３】
前記平面負荷部分は長方形をなし、前記折り畳まれた導電性ストリップ部分の物理的幅よ
り広い物理的幅を有する、請求項１または２に記載の平面アンテナ。
【請求項４】
前記折り畳まれた導電性ストリップ部分は、
前記平面負荷部分に結合される第１の導電性セグメントと、
該第１のセグメントに結合される第２の導電性セグメントと、
該第２のセグメントに結合される第３の導電性セグメントと、
該第３のセグメントに結合される第４の導電性セグメントと
からなる、請求項１乃至３のいずれか１項に記載の平面アンテナ。
【請求項５】
前記スタブは前記第４の導電性セグメントに結合される、請求項４に記載の平面アンテナ。
【請求項６】
前記第４の導電性セグメントに結合される前記位スタブの物理長は、前記スタブの前記第４の導電性セグメントへの結合箇所を越える、第４の導電性セグメントの遠位側の残りの部分の物理長にほぼ等しい、請求項５に記載の平面アンテナ。
【請求項７】
外部組立部において、
移植可能な医療デバイスと前記外部組立部の間で情報を無線で転送するように構成される無線通信回路と、
前記無線通信回路に結合される平面アンテナと
からなり、前記平面アンテナは、前記移植可能な医療デバイスと前記外部組立部の間で情報を無線で転送するように構成され、前記平面アンテナは、
前記無線通信回路の駆動ノードに電気的に結合され、前記無線通信回路の該駆動ノードに対して遠位にある縁部を含んでなる平面負荷部分と、
前記平面負荷部分を通して前記無線通信回線の駆動ノードに結合される、折り畳まれた導電性ストリップ部分であって、
互いから水平方向に偏移され互いと少なくとも部分的に水平方向に重なる少なくとも２つのセグメントと、
平面アンテナの平面上で第１の軸に沿って方向付けられた第１の領域と、平面アンテナの平面上で第２の軸に沿って方向付けられた第２の領域と、前記第１および第２の軸と前記第１および第２の領域とは前記平面アンテナからの放射の偏波ダイバーシティを与えるように特定されることと、
前記折り畳まれた導電性ストリップ部分に結合されたスタブとを備える、折り畳まれた導電性ストリップ部分とを含んでなり、
前記折り畳まれた導電性ストリップ部分および前記スタブは、前記折り畳まれた導電性ストリップ部分に沿った物理的経路全長に対応するモードを使用して、共振で、またはその近傍で第１の規定された動作周波数の範囲を確立するように構成され、
前記折り畳まれた導電性ストリップ部分は、前記物理的経路全長の約半分に対応するモードを使用して、共振で、またはその近傍で第２のより高い規定された動作周波数の範囲を与えるように構成され、
前記平面負荷部分は、前記第２の規定された動作周波数の範囲または別のより高い規定された動作周波数の範囲の規定された帯域幅を与え、前記第１の規定された動作周波数の範囲を実質的に変えないままにしておくように形成される、装置。
【請求項８】
互いから水平方向に偏移され互いと少なくとも部分的に水平方向に重なる少なくとも２つのセグメントと、
平面アンテナの平面上で第１の軸に沿って方向付けられた第１の領域と、平面アンテナの平面上で第２の軸に沿って方向付けられた第２の領域とを備え、前記第１および第２の軸と前記第１および第２の領域とは前記平面アンテナからの放射の偏波ダイバーシティを与えるように特定される、折り畳まれた導電性ストリップ部分であって、前記折り畳ま
れた導電性ストリップ部分は、無線通信回路の駆動ノードに平面負荷部分を通して結合され、前記平面負荷部分は前記無線通信回路の前記駆動ノードに対して遠位の縁部を含んでなる、導電性ストリップ部分を形成する工程と、
前記導電性ストリップ部分に結合されたスタブを形成する工程と、
前記折り畳まれた導電性ストリップ部分に沿った物理的経路全長に対応するモードを使用して、共振で、またはその近傍で前記平面アンテナのための第１の規定された動作周波数の範囲を、前記スタブを用いて与える工程と、
前記物理的経路全長の約半分に対応するモードを使用して、共振で、またはその近傍で第２のより高い、前記平面アンテナのための動作周波数の範囲を与える工程と
からなり、
前記平面負荷部分は、前記第２の規定された動作周波数の範囲または別のより高い規定された動作周波数の範囲の規定された帯域幅を与え、前記第１の規定された動作周波数の範囲を実質的に変えないままにしておくように形成される、方法。
【発明の詳細な説明】
【技術分野】
【０００１】
本発明はマルチ・バンド、多偏波、スタブチューニングのアンテナに関する。
【背景技術】
【０００２】
医療デバイスは、生理的情報をモニタリング、検出もしくは検知する、生理的状態または疾病を診断する、生理的状態または疾病を治療する、その療法を提供する、または生理的機能を回復させる、もしくはそうでなければ、それを部分的に改めることを含む、タスクを実施することができる。たとえば、そのような医療デバイスは、移植可能なデバイスまたは外部に着用される歩行用デバイスを含む。移植可能な医療デバイスの例は、ペースメーカ、心臓再同期療法デバイス、電気的除細動器もしくは細動除去器、または他のデバイスなどの心臓機能管理デバイスを含むことができる。他の医療デバイスは、神経刺激器、神経筋刺激器、薬物送達システム、または１つまたは複数の他のデバイスを含むことができる。
【０００３】
一般に、医療デバイスは、無線通信回路（たとえば、テレメトリ回路）と、無線通信回路に結合されるアンテナとを含むことができ、それによって、医療デバイスから別の組立部に情報（たとえば、生理的な、または他の情報）を送る、または別の組立部から情報（たとえば、プログラミング命令、動作パラメータまたは他の情報）を受け取るなどのために、医療デバイスと別の組立部の間に無線通信を提供する。身体中に移植された移植可能な医療デバイスと外部組立部との間で、または身体の外部にある医療デバイスと外部組立部との間で短距離通信を実施するために、互いとの誘導的な結合を使用することができる。
【０００４】
互いとの誘導的な結合を介する通信は、低周波数の近接場結合に大きく依存し、その電磁界分布は、アンテナからの距離およびそれの方向付けに大きく依存している。そのような互いとの誘導的な結合は、移植可能な医療デバイスと外部組立部の間の無線通信の範囲を著しく限定する、一般には数センチの範囲に限定する可能性がある。
【発明の概要】
【発明が解決しようとする課題】
【０００５】
低パワー無線周波数（「ＲＦ」）の電磁気的な放射は、歩行用または移植可能な医療デバイスと別の組立部との間で通信を実施するために、そのような通信のために互いとの誘導的な結合を使用することに加えて、またはその代わりに、使用することができる。一般に、移植可能な、または外部にある組立部の一部分として含まれるアンテナは、周波数の比較的狭い範囲内で使用するように構成することができる（たとえば、狭帯域アンテナ）。かかる狭帯域アンテナは、動作周波数の所望の、または規定された範囲内で規定された入力インピーダンスを確立するように、同調させることができる。
【０００６】
米国では、様々な周波数の範囲が、移動無線通信、セル方式データまたは電話通信、衛星通信、および産業用、科学的または医療用の使用のための無免許の低パワー通信または認可を受けた低パワーの医療デバイスの通信に割り当てられている。そのような周波数の範囲は、一般に、アンテナの物理的な設計を束縛する。したがって、設計または製造の間、アンテナを含む装置の目的とする用途、製造または最終使用場所に依存して、いくつかの異なるアンテナ設計が使用される恐れがある。
【課題を解決するための手段】
【０００７】
本発明者らは、何よりも特に、周波数の複数の範囲内で動作するように構成されるアン
テナ（たとえば、マルチ・バンド・アンテナ）を使用することによって、製造のコストまたは複雑さを減少させることができることを認識した。たとえば、マルチ・バンド・アンテナは、様々な分離型アンテナの機能を実施することができ、製造の間、様々な最終使用または場所に適合させるために、異なるアンテナのサイズまたは構成を用意する必要を減少させる、または無くすなどする。本発明者らは、また、プリント基板（ＰＣＢ）の材料または技術を使用して、そのようなマルチ・バンド・アンテナを組み立てることができることを認識した。たとえば、平面的なマルチ・バンド・アンテナは、プリント基板組立部の一部分として含めることができ、その組立部は、他の回路機構をまた含むことができる。ある例では、平面的なマルチ・バンド・アンテナは、外部組立部の表示部分中に、またはその組立部のハウジング上に、もしくはその内に収納することができる。
【０００８】
ある例では、無線で情報を転送するための平面アンテナは、無線通信回路の駆動ノードに電気的に結合される平面負荷部分と、その平面負荷部分に結合される折り畳まれた導電性ストリップ部分とを含むことができる。ある例では、折り畳まれた導電性ストリップ部分は、互いから水平方向に偏移され互いと少なくとも部分的に水平方向に重なる少なくとも２つのセグメントを含むことができるようなものなど、「逆Ｌ」の構成または他の構成を含むことができる。平面負荷部分は、第２の動作周波数の範囲の規定された帯域幅を確立し、実質的に第１の規定された動作周波数の範囲を変えないままにして置くように構成することができる。
【０００９】
ある例では、平面アンテナは、無線通信回路の駆動ノードに結合される折り畳まれた導電性ストリップ部分を含むことができ、その折り畳まれた導電性ストリップ部分は、互いから水平方向に偏移され互いと少なくとも部分的に水平方向に重なる少なくとも２つのセグメントからなり、かつ平面アンテナの平面上で第１の軸に沿って方向付けられた第１の領域、および平面アンテナの平面上で第２の軸に沿って方向付けられた第２の領域を含み、その２つの軸および２つ領域は、平面アンテナからの放射の偏波ダイバーシティをもたらすように規定される。たとえば、平面アンテナは、折り畳まれた導電性ストリップ部分に結合されるスタブを含むことができ、そのスタブは、折り畳まれた導電性ストリップ部分に沿った物理的な経路全長に対応するモードを使用して、共振で、またはその近傍で第１の規定された動作周波数の範囲を設けるように構成される。
【００１０】
この概要は、本特許出願の主題の概要を提示するように意図している。この概要は、本発明の排他的な、または網羅的な説明を提示するようには意図していない。詳細な記述は、本特許出願について、さらなる情報を提供するために含めている。
【００１１】
必ずしも尺度に合わせて描かれていない図面では、同様の番号は、異なる図で同様の構成要素を述べていることがある。異なる文字の添え字を有する同様の番号は、同様の構成要素の異なる事例を表している場合がある。図面は、限定するものとしてではなく、例としてのみ、本明細書で議論する様々な実施形態を全体的に示す。
【図面の簡単な説明】
【００１２】
【図１】医療デバイス、ローカルな外部組立部または遠隔の外部組立部を含むことができるシステムの例を全体的に示す図。
【図２】平面的なマルチ・バンド・アンテナを含むことができる外部組立部の例を全体的に示す図。
【図３Ａ】平面的なリターン部分の近傍に位置決めすることができるマルチ・バンド平面アンテナの例を全体的に示す図。
【図３Ｂ】マルチ・バンド平面アンテナに対応するリターン・ロスのシミュレーションのそれぞれの説明のための例を全体的に示す図。
【図４Ａ】平面負荷部分を含むことができるマルチ・バンド平面アンテナの例を全体的に示す図。
【図４Ｂ】マルチ・バンド平面アンテナに対応するリターン・ロスのシミュレーションのそれぞれの説明のための例を全体的に示す図。
【図５Ａ】平面負荷部分を含むことができるマルチ・バンド平面アンテナの例を全体的に示す図。
【図５Ｂ】マルチ・バンド平面アンテナに対応するリターン・ロスのシミュレーションのそれぞれの説明のための例を全体的に示す図。
【図６Ａ】第１の軸に沿った第１の領域と、第２の軸に沿った第２の領域とからなる折り畳まれた導電性ストリップ部分を含むことができるマルチ・バンド平面アンテナの例を全体的に示す図。
【図６Ｂ】マルチ・バンド平面アンテナに対応するリターン・ロスのシミュレーションのそれぞれの説明のための例を全体的に示す図。
【図７Ａ】スタブを含むことができるマルチ・バンド平面アンテナの例を全体的に示す図。
【図７Ｂ】マルチ・バンド平面アンテナに対応するリターン・ロスのシミュレーションのそれぞれの説明のための例を全体的に示す図。
【図８】平面負荷部分を含むことができるマルチ・バンド平面アンテナの説明のための例を示す写真。
【図９】スタブを含むことができるマルチ・バンド平面アンテナの説明のための例を示す写真。
【図１０】平面負荷部分を含むことができるマルチ・バンド平面アンテナを形成する工程を含むことができる技術を全体的に示す図。
【図１１】第１の軸に沿った第１の領域と、第２の軸に沿った第２の領域とを含むことができるマルチ・バンド平面アンテナを形成する工程を含むことができる技術を全体的に示す図。
【発明を実施するための形態】
【００１３】
図１は、医療デバイス１０６、ローカルな外部組立部１２０、または遠隔の外部組立部１１２を含むことができるシステム１００の例を全体的に示す。図１では、医療デバイス１０６は、心臓機能管理デバイス（たとえば、ペースメーカ、電気的除細動器または細動除去器、心臓再同期療法デバイス、モニタリング・デバイス、神経刺激デバイスなど）など、患者１０２内に、またはその近傍に位置決めされる歩行用または移植可能なデバイスを含むことができる。医療デバイス１０６は、アンテナ１０４を収納する誘電性部分１０８を含むことができる。アンテナ１０４は、周波数の第１の規定された範囲を使用する第１の通信伝達結合１８５を介してなど、ローカルな外部組立部１２０に経皮的になど、電磁気的に情報を無線で転送するように構成することができる。
【００１４】
ある例では、ローカル外部組立部１２０は、プログラミング命令または構成情報を医療デバイス１０６に転送する、または診断情報、疾病ステータス、１つまたは複数の生理的パラメータについての情報などを医療デバイス１０６から受け取るなどのために使用される、医師のプログラミング組立部もしくは介護士のプログラミング組立部、ベッドのそばのモニターもしくは他のモニター、または他の比較的近接する組立部を含むことができる。外部組立部１２０は、第２の通信伝達結合１８７を介してなど、他のどこかに位置決めされる遠隔外部組立部１１２（たとえば、サーバ、ウェブ接続のパーソナル・コンピュータなどのクライアント端末、セル方式の基地局、または別の無線で結合される、もしくは有線の遠隔組立部）など、１つまたは複数の他の外部の組立部に通信可能に接続することができる。第２の通信伝達結合は、周波数の第１の規定された範囲または周波数の第２の規定された範囲を使用することができる。ある例では、ローカル外部組立部１２０は、無線通信回路１３０に結合されるアンテナ１１０など、１つまたは複数のアンテナを含むことができる。上記および下記の例で議論するようなマルチ・バンド平面アンテナを含むも
のなど、アンテナ１１０は、周波数の第１の規定された範囲または第２の規定された範囲の１つまたは複数を使用して、電磁気的に情報を無線で転送するように構成することができる。
【００１５】
図２は、平面的なマルチ・バンド・アンテナ２１０を含むことができる外部組立部２２０の例を全体的に示す。図１の例で議論したようなものなど、外部組立部２２０は、プログラマーまたはモニターを含むことができる。外部組立部２２０は、平面アンテナ２１０を介して無線で情報を転送するように構成されるようなものなど、無線通信回路２３０（たとえば、テレメトリ回路または他の通信回路）を含むことができる。図２の例では、上記および下記の例で示し議論するようなものなど、平面アンテナ２１０は、平面負荷部分２５０を介してアンテナ給電部２４０に結合されるようなものなど、折り畳まれた導電性ストリップ部分２６０を含むことができる。ある例では、折り畳まれた導電性ストリップ部分は、「逆Ｌ」構成または１つまたは複数の他の構成を含むことができる。
【００１６】
ある例では、誘電性材料２０７（たとえば、誘電性区画、誘電性シェル、またはアンテナ２１０を支持する、または囲繞することができる他の誘電性材料）上に、またはその内に位置決めされるようなものなど、平面アンテナ２１０は、外部組立部２２０のハウジング上に、またはその内に位置決めすることができる。誘電性材料２０７は、１つまたは複数の規定された動作周波数の範囲で電磁波を通すように規定することができる。外部組立部２２０のベース・ハウジングまたは表示ハウジングなど、そのような誘電性材料２０７は、誘電性ハウジングの一部分を含むことができる。ある例では、平面アンテナ２１０は、プリント基板（ＰＣＢ）組立部の一部分として含められる誘電性材料上に、またはその内に位置決めすることができる。
【００１７】
図３Ａは、平面的なリターン部分３７０の近傍に位置決めすることができるマルチ・バンド平面アンテナ３１０の例を全体的に示し（たとえば、平面的な導電性層の図）、図３Ｂは、マルチ・バンド平面アンテナに対応するリターン・ロス３８０のシミュレーションのそれぞれの説明のための例を全体的に示す。ある例では、約４００ＭＨｚのちょうど上側に中心を置く第１の動作周波数の範囲３８２Ａ（たとえば、医療移植通信サービス（ＭＩＣＳ：Ｍｅｄｉｃａｌ  Ｉｍｐｌａｎｔ  Ｃｏｍｍｕｎｉｃａｔｉｏｎｓ  Ｓｅｒｖｉｃｅ）周波数の範囲を含む）、９００ＭＨｚのちょうど上側に中心を置く第２の動作周波数の範囲３８２Ｂ（たとえば、第１の産業用、科学的および医療用（ＩＳＭ：Ｉｎｄｕｓｔｒｉａｌ，Ｓｃｉｅｎｔｉｆｉｃ，ａｎｄ  Ｍｅｄｉｃａｌ）帯域を含む）、約１７００ＭＨｚのまわりに中心を置く第３の動作周波数の範囲３８２Ｃ（たとえば、セル方式のデータまたは携帯電話の周波数の範囲を含む）、または２．４ＧＨｚのちょうど上側に中心を置く第４の動作周波数の範囲３８２Ｄ（たとえば、第２のＩＳＭ帯域を含む）を含むものなど、マルチ・バンド平面アンテナ３１０は、動作周波数の複数の使用可能な範囲を設けるように構成することができる。
【００１８】
ある例では、「逆Ｌ」構成からなるものなど、アンテナ３１０は、第１のセグメント３６０Ａを含むものなど、折り畳まれた導電性ストリップ部分を含むことができ、それは、給電領域３４０内で、またはその近傍でなど、無線通信回路の駆動ノード（たとえば、シングル・エンドの入力または出力）に結合することができる。無線通信回路の基準またはリターン・ノード（たとえば、「ＲＦ」グランド）は、給電領域３４０中でなど、平面的なリターン部分３７０に結合することができる。ある例では、アンテナ３１０の折り畳まれた導電性ストリップ部分は、第３のセグメント３６０Ｃによって導電的に結合されるものなど、第２のセグメント３６０Ｂおよび第４のセグメント３６０Ｄなど、水平方向に分離することができる（たとえば、互いから水平方向に偏移される）２つの平行なセグメントを含むことができる。用語「折り畳まれた（ｆｏｌｄｅｄ）」は、少なくとも部分的に水平方向に重なることができる２つの平行な導電性ストリップ部分（たとえば、第２のセ
グメント３６０Ｂおよび第４のセグメント３６０Ｄ）を含むことなど、互いに関する導電性ストリップの物理的な構成を言うことができる。
【００１９】
ある例では、アンテナ３１０は、第１の周波数の範囲３８２Ａを確立するためなどに、第１のセグメント３６０Ａから第４のセグメント３６０Ｄに沿った全物理的経路長に対応するモードを使用することができる。同様に、アンテナは、より高い周波数の範囲（たとえば、第２の動作周波数の範囲３８２Ｂ）を確立するためなどに、アンテナに沿った全物理的経路長の約半分に対応するモードを使用することができる。たとえば、第３の周波数の範囲３８２Ｃまたは第４の周波数の範囲３８２Ｄに対応するものなど、アンテナ３１０は、他の共振またはより高次のモードをサポートすることができる。
【００２０】
アンテナ３１０のアンテナ効率は、少なくとも部分的に給電領域の場所によって、または平面的なリターン部分３７０の第１の水平方向縁部３４４または平面的なリターン部分３７０の第２の水平方向縁部３４６の１つまたは複数の物理的長さによって、確立することができる。たとえば、隅部の給電場所（たとえば、領域３４０）に関し、水平方向縁部３４４の長さが減少するにつれて、平面的なリターン部分３７０は、第２の導電性ストリップを徐々に近似する（たとえば、双極子配置を形成する）。平面的なリターン部分３７０の寸法を過度に減少した場合、アンテナ３１０は、離調する恐れがあり、好ましくないことにリターン・ロスが増加などする。
【００２１】
本発明者らは、また、アンテナ３１０のアンテナ効率を高めるためなどで、より小さい平面的なリターン部分を使用することに比べたとき、第２の水平方向縁部３４６の長さを給電領域３４０から離れて伸ばすことができること（たとえば、縁部３４６の線寸法と平面的なリターン部分３７０の表面積の両方を増加させる）を認識した。同様に、アンテナ３１０のアンテナ効率を高めるためなどで、アンテナ３１０用のハウジングが、より大きい平面的なリターン部分３７０の長さまたは面積を収容することができるときなど、アンテナ給電領域３４０の場所をより中心領域３４２（たとえば、水平方向縁部３４４の中点に、またはその近傍に）に移動することができると考えられる。
【００２２】
図３Ａ〜３Ｂの例では、アンテナ３１０の構成によって、動作周波数の複数の使用可能な範囲を設けることができ、また一方、そのような構成のリターン・ロス３８０は、上記および下記の他の例で議論するように、平面負荷部分を使用することなどで、なお向上させることができる。
【００２３】
ある例では、動作周波数の使用可能な範囲を選択する、または識別するために、１つまたは複数の基準を使用することができる。たとえば、リターン・ロス３８０（たとえば、デシベル（ｄＢ）でのＳ１１パラメータ）は、周波数の使用可能な範囲内で‐７ｄＢまたはそれより低いものとして（たとえば、７ｄＢのリターン・ロス３８０、または２：６以下の電圧定在波比（ＶＳＷＲ：ｖｏｌｔａｇｅ  ｓｔａｎｄｉｎｇ  ｗａｖｅ  ｒａｔｉｏ）に対応する）、規定することができる。
【００２４】
アンテナ３１０と無線通信回路の出力インピーダンスとの間に実質的に共役である整合をもたらす目的などで、実数の５０オームから逸脱するアンテナ３１０の入力インピーダンスを補うために、インピーダンス整合回路網を使用することができる。しかし、そのような整合回路網によって、コストまたは複雑さが、無線通信回路機構に加わる恐れがある。本発明者らは、何よりも特に、使用可能な動作周波数の範囲（たとえば、範囲３８２Ａ〜３８２Ｄ）の帯域幅を広げ、さらにまた、そのような周波数の範囲を所望の周波数の近傍に（たとえば、そのまわりに中心を置いて）位置決めしたままになお保持する、またはそのような周波数内でインピーダンス整合を向上させる（たとえば、リターン・ロス３８０を全体的に向上させる）ような技術および装置を開発した。
【００２５】
図４Ａ〜４Ｂ、５Ａ〜５Ｂ、８および１０の例では、基本モードに対応する周波数の範囲を乱すことなくなど（たとえば、実質的に基本モードの動作周波数の範囲を狭める、または基本モードに対応する中心周波数を偏移させることなく）、動作周波数の所望の範囲を設けるために、より高次のモードを同調させる、または拡張することができる。図６Ａ〜６Ｂ、７Ａ〜７Ｂ、９および１１の実施例では、基本モードは、１つまたは複数のより高次のモードに対応する周波数の範囲を乱すことなどなく、動作周波数の所望の範囲を設けるために、同調させることができる。
【００２６】
図４Ａは、平面負荷部分４５０を含むことができるマルチ・バンド平面アンテナ４１０の例を全体的に例示し、図４Ｂは、マルチ・バンド平面アンテナ４１０に対応するリターン・ロス４８０（たとえば、ｄＢでのＳ１１パラメータ）のシミュレーションのそれぞれの説明のための例を全体的に示す。図３Ａ〜３Ｂの例と同様に、アンテナ４１０は、第１のセグメント４６０Ａ、第２のセグメント４６０Ｂ、第３のセグメント４６０Ｃおよび第４のセグメント４６０Ｄを含むものなど、折り畳まれた導電性ストリップ部分を含むことができる。第２のセグメント４６０Ｂおよび第４のセグメント４６０Ｄは、規定された分離間隔「ｓ」だけ、互いから水平方向に偏移させることができ、第１のセグメント４６０Ａ〜第４のセグメント４６０Ｄの１つまたは複数は、規定された物理的幅「ｗ」（たとえば、セグメントの水平方向幅）を含むことができる。ある例では、第３のセグメント４６０Ｃの長さによって、分離間隔「ｓ」を確立することができ、それは、ほぼ物理的幅「ｗ」以下とすることができる。しかし、「ｓ」は、アンテナ５１０中で望ましくないリアクタンス性または導電性の「短絡」を引き起こすほど小さくすべきでない。ある例では、第１のセグメント４６０Ａは、その長さを物理的幅「ｗ」の約３倍より短くすることができる。
【００２７】
平面負荷部分４５０は、給電領域４４０内に、またはその近傍になどで、無線通信回路の駆動ノードに結合することができる。平面負荷部分４５０は、第１のセグメント４６０Ａに導電的に結合される遠位にある縁部（たとえば、給電領域４４０に対して遠位にある）を含むことができる。平面負荷部分４５０は、その物理的幅を折り畳まれた導電性ストリップ部分の物理的幅「ｗ」より広くすることができ、そして物理的長さ「ｌ」を含むことができる。
【００２８】
折り畳まれた導電性ストリップ部分（たとえば、セグメント４６０Ａ〜４６０Ｄ）および平面負荷部分４５０の構成によって、約４００ＭＨｚのちょうど上側に中心を置く第１の動作周波数の範囲４８２Ａ（たとえば、医療移植通信サービス（ＭＩＣＳ）の周波数の範囲を含む）、９００ＭＨｚのちょうど上側に中心を置く第２の動作周波数の範囲４８２Ｂ（たとえば、第１の産業用、科学的および医療用（ＩＳＭ）帯域を含む）、約１８００ＭＨｚのまわりに中心を置く第３の動作周波数の範囲４８２Ｃ（たとえば、様々なセル方式のデータまたは携帯電話の周波数の範囲に対応する周波数を含む）、または２．７ＧＨｚのちょうど下側に中心を置く第４の動作周波数の範囲３８２Ｄを確立することができる。
【００２９】
図４Ｂのリターン・ロス４８０は、図３Ｂの対応する第１の動作周波数の範囲３８２Ａに比べたとき、実質的に変わらないままである第１の動作周波数の範囲４８２Ａを含む。第２の動作周波数の範囲４８２Ｂは、図３Ｂの第２の動作周波数３８２Ｂよりわずかに広くすることができる。図４Ａ〜４Ｂの例では、第１の動作周波数の範囲４８２Ａおよび第２の動作周波数の範囲４８２Ｂは、実質的に変わらないままであり、一方第３の動作周波数の範囲４８２Ｃは、図３Ｂの第３の動作周波数の範囲３８２Ｃと比べたとき、実質的に広げられている。図３Ａ〜３Ｂの例と対照的に、平面負荷部分４５０を含めることによって、図３Ｂの対応する周波数の範囲３８２Ｃに比べて、図４Ｂの第３の動作周波数の範囲
４８２Ｃをより広く確立することができる。
【００３０】
ある例では、平面負荷部分４５０は、有効波長の約１／４に対応するものなど、物理的長さ「ｌ」を含むことができ、その有効波長は、第１の動作周波数の範囲４８２Ａと第４の動作周波数の範囲４８２Ｄの間に位置決めされるものなど、中間周波数の範囲（たとえば、第３の動作周波数の範囲４８２Ｃの所望の中心周波数）中に含まれる周波数によって確立される。平面負荷部分４５０の物理的長さ「ｌ」は、別の規定された動作周波数の範囲（たとえば、第２の動作周波数の範囲４８２Ｂまたは第４の動作周波数の範囲４８２Ｄ）を広げるためなどで、その長さを伸ばす、または短くすることができる。このようにして、平面負荷部分４５０は、実質的にアンテナ４１０の基本モード（たとえば、第１の動作周波数の範囲４８２Ａに対応する）を乱すことなく、アンテナ４１０の１つまたは複数の高次モード（たとえば、第３の動作周波数の範囲４８２Ｃに対応する）を同調させるために、使用することができる。
【００３１】
「有効波長（ｅｆｆｅｃｔｉｖｅ  ｗａｖｅ  ｌｅｎｇｔｈ）」は、不均質の誘電性媒体によって囲繞することができる構造物（たとえば、伝送線または導波管）を介して伝搬する電磁波の波長を言うことができる。そのような不均質の構成（たとえば、折り畳まれた導電性ストリップ部分の一方の面上のＰＣＢ誘電性材料、および反対側の面上の空気または別の媒体、または、１つまたは複数の他の媒体を含む）によって、「有効な」誘電率が、異なる誘電性材料からの寄与を含んで確立される。一般に、有効な誘電率は、不均質の構成からなる材料の誘電率の最低値と最高値の間の値（たとえば、幾何平均）であり、それに対応する有効波長は、そのような有効誘電率の平方根に逆比例すると定義することができる。
【００３２】
図５Ａは、平面負荷部分５５０を含むマルチ・バンド平面アンテナ５１０の例を全体的に例示し、図５Ｂは、マルチ・バンド平面アンテナ５１０に対応するリターン・ロス５８０のシミュレーションのそれぞれの説明のための例を全体的に示す。アンテナ５１０は、平面負荷部分５５０の遠位縁部５４８に結合される第１のセグメント５６０Ａ、第１のセグメント５６０Ａに導電的に結合される第２のセグメント５６０Ｂ、第２のセグメント５６０Ｂに導電的に結合される第３のセグメント５６０Ｃおよび第３のセグメント５６０Ｃに導電的に結合される第４のセグメント５６０Ｄを含む折り畳まれた導電性ストリップ部分を含むことができる。
【００３３】
図４Ａ〜４Ｂの例でのように、第２のセグメント５６０Ｂおよび第４のセグメント５６０Ｄは、規定された分離間隔「ｓ」だけ、互いから水平方向に偏移させることができ、第１のセグメント５６０Ａ〜第４のセグメント５６０Ｄの１つまたは複数は、規定された物理的幅「ｗ」（たとえば、セグメントの水平方向幅）を含むことができる。ある例では、第３のセグメント５６０Ｃの長さによって、分離間隔「ｓ」を確立することができ、その長さは、ほぼ物理的幅「ｗ」以下とすることができる。しかし、「ｓ」は、一般に、アンテナ５１０中で望ましくないリアクタンス性または導電性の「ショート」を引き起こすほど小さくすべきでない。ある例では、第１のセグメント５６０Ａは、その長さを物理的幅「ｗ」の約３倍より短くすることができる。
【００３４】
上記で議論した図３Ａ〜３Ｂおよび４Ａ〜４Ｂの例でのように、アンテナ５１０は、複数の使用可能な動作周波数の範囲をもたらすことができる。しかし、アンテナ５１０は、図３Ａ〜３Ｂおよび４Ａ〜４Ｂの対応する例よりもっとコンパクトにすることができる、というのは、第１の動作周波数の範囲３８２Ａ、４８２Ａ（たとえば、約４００Ｍｈｚのちょうど上側で）は、除外することができるからである。第２のセグメント５６０Ｂおよび第４のセグメント５６０Ｄは、それに応じてより短くすることができる、というのは、アンテナ５１０の全物理的経路長は、図３Ａ〜３Ｂまたは４Ａ〜４Ｂの例におけるのと同
じほど長くする必要がないからである。図５Ｂの第１の動作周波数の範囲５８２Ｂ（たとえば、約９００Ｍｈｚのちょうど上側に中心を置く）に対応する有効波長は、図３Ｂおよび４Ｂの第１の動作周波数の範囲３８２Ａ、４８２Ａ（たとえば、約４００Ｍｈｚのちょうど上側に中心を置く）に対応する有効波長より短い。
【００３５】
図６Ａは、図５Ａ〜５Ｂの例と同様のマルチ・バンド平面アンテナ６１０の例を全体的に例示し、それは、第１の軸６６４に対して平行な第１の領域および第２の軸６６４Ｂに対して平行な第２の領域からなる折り畳まれた導電性ストリップ部分を含むことができ、そして図６Ｂは、マルチ・バンド平面アンテナ６１０に対応するリターン・ロス６８０のシミュレーションのそれぞれの説明のための例を全体的に示す。
【００３６】
ある例では、折り畳まれた導電性ストリップ部分は、他の例について議論するものなど、平面負荷部分６５０を含むことができる。ある例では、アンテナ６１０は、第１のセグメント６６０Ａ、第２のセグメント６６０Ｂ、第３のセグメント６６０Ｃおよび第４のセグメント６６０Ｄを含むことができる。図６Ａの例では、第１の領域中で第１の軸６６４Ａに対して平行であり、かつ第２の領域中で第２の軸６６４Ｂに対して平行であるなど、第２のセグメント６６０Ｂおよび第４のセグメント６６０Ｄは、１つまたは複数の屈曲部を含む、共有される経路に従うことができる。屈曲部または湾曲した経路を含む、そのような構成によって、図４Ａ〜４Ｂまたは５Ａ〜５Ｂの例と比較したときなど、１つまたは複数の規定された周波数の範囲においてアンテナ６１０からの放射の偏波ダイバーシティを高めることができ、第２のセグメント４６０Ｂ、５６０Ｂおよび第４のセグメント４６０Ｄ、５６０Ｄは、それらそれぞれの長手寸法方向で単一軸と位置合わせされて（たとえば、それに対して平行に）、示してある。図６Ａは、直角の屈曲部を含んでいるが、そのような直角の屈曲部は、必要でない。ある例では、折り畳まれた導電性ストリップ部分は、複数の屈曲部を含む、または円弧状の経路を含むなど、他のパターンを含むことができる。
【００３７】
ある例では、アンテナ６１０は、平面的なリターン部分６７０の水平方向縁部に位置決めすることができる給電領域６４３で、またはその近傍でなどで、無線通信回路の駆動ノードに結合することができる。上記および下記で議論する例と同様に、アンテナ６１０のアンテナ効率は、平面的なリターン部分６７０の長手側の水平方向縁部を伸ばすのにつれて、高めることができる。平面的なリターン部分６７０の寸法を減少させるにつれて、平面的なリターン部分６７０は、第２のアンテナ・アームを近似することができ、双極子配置を確立するなどする。アンテナ効率は、アンテナ６１０のリターン・ロスに部分的に依存することができる。たとえば、平面的なリターン部分６７０における表面電流分布は、一部に局限することができる。平面的なリターン部分６７０は、アンテナ６１０および平面的なリターン部分６７０の全体の表面積を減少させるためなどで、ただし実質的に動作周波数の１つまたは複数の所望の範囲におけるリターン・ロス性能を低下させることなく、「切断する」ことができる、そうでなければ、表面電流量を著しく欠く領域の面積または長さを減少させることができる。
【００３８】
説明のための例では、第１のセグメント６６０Ａ〜第４のセグメント６６０Ｄからなる折り畳まれた導電性ストリップ部分は、図６Ａの例に示すように、曲げることができる。図６Ｂでは、リターン・ロス６８０の説明のための例は、４００ＭＨｚの上側に中心を置く動作周波数の第１の範囲６８２Ａおよび９００Ｍｈｚのちょうど下側に中心を置く動作周波数の第２の規定された範囲を含む。
【００３９】
図７Ａは、スタブ７６２を含むことができるマルチ・バンド平面アンテナ７１０の例を全体的に例示し、図７Ｂは、マルチ・バンド平面アンテナ７１０に対応するリターン・ロス７８０のシミュレーションのそれぞれの説明のための例を全体的に示す。ある例では、
アンテナ７１０は、給電領域７４３で、またはその近傍で無線通信回路の駆動ノードに結合されるものなど、平面負荷部分７５０を含むことができる。たとえば、アンテナ７１０は、第１のセグメント７６０Ａ〜第４のセグメント７６０Ｄからなる折り畳まれた導電性ストリップ部分を含むことができる。ある例では、第１のセグメント７６０Ａは、平面負荷部分７５０を介して無線通信回路に結合することができる。
【００４０】
図６Ｂに戻って参照すると、動作周波数の第１の範囲６８２Ａは、第２のセグメント６６０Ｂおよび第４のセグメント６６０Ｄに屈曲部を含むことに少なくとも部分的によってなどで、動作周波数の所望の第１の範囲からわずかに偏移する可能性がある。本発明者らは、何よりも特に、図７Ｂに示すように動作周波数の第１の規定された範囲７８２Ａをもたらす目的などで、動作周波数の所望の範囲に共振応答を調節する、または偏移させるために、スタブ７６２を含めることができることを認識した。ある例では、動作周波数の第２の規定された範囲７８２Ｂは、たとえアンテナ７１０がスタブ７６２を含んでいたとしても、図６Ｂの動作周波数の第２の規定された範囲６８２Ｂに比べたとき、実質的に変わらないままであることができる。
【００４１】
説明のための例では、動作周波数の第１の規定された範囲７８２Ａを設けるために、スタブと折り畳まれた導電性ストリップ部分の組み合わせを使用することができる。たとえば、スタブ７６２は、第４のセグメント７６０Ｄの長手方向に沿って、第３のセグメントに関して遠位側に第４のセグメント７６０Ｄの中点をちょうど越えてなどで、第４のセグメント７６０Ｄに電気的に結合することができる。第４のセグメントの遠位部分は、「Ａ」によって表すことができる物理的長さを有することができ、スタブは、「Ｂ」によって表すことができる物理的長さを有することができる。ある例では、物理的長さＡおよびＢは、物理的長さをほぼ等しくすることができる。第１のセグメント７６０Ａから第４のセグメント７６０Ｄまでの全物理的長さは、図４Ａの例で示すように、第２のセグメント７６０Ｂおよび第４のセグメント７６０Ｄ中の偏波増強用屈曲部を省いたときなど、周波数の第１の規定された範囲７８２Ａをサポートするモードに対応することができる。図６Ａ〜６Ｂの説明のための例では、そのような屈曲部は、わずかにアンテナ６１０を離調させる可能性がある（たとえば、動作周波数の１つまたは複数を変位させる）。ある例では、周波数の第１の範囲６８２Ａは、動作周波数の第１の規定された範囲７８２Ａ（たとえば、約４００ＭＨｚのちょうど下側に中心を置く）を設けるためなどで、所望の範囲に偏移させることができ、第４のセグメントの残された遠位部分の物理的長さＡおよびスタブ長さＢは、周波数の第１の規定された範囲７８２Ａの所望の中心周波数に対応して、有効波長の所定の比率に、たとえば有効波長の１／１６などにほぼ等しいとして規定することができる。
【００４２】
説明のための例では、実験的に得られた自由空間の範囲データによれば、図７のアンテナ７１０では、折り畳まれた導電性ストリップ部分の平面に対して平行な平面上で方位角方向に走査したとき、偏波増強用屈曲領域およびスタブ７６２を欠くアンテナ構成と比べると、電場強度の水平方向成分の大きさを最低強度の方向において４０３．５ＭＨｚで２０ｄＢより高く向上させることができる。そのような向上は、スタブ７６２を使用していずれもの結果として生じる離調を補うことなどして、第２のセグメント７６０Ｂおよび第４のセグメント７６０Ｄ中の偏波増強用屈曲部を使用して、アンテナ７１０の水平方向応答における１つまたは複数のゼロを減少させる、または無くすことができることを示している。
【００４３】
説明のための例では、実験的に得られた自由空間の範囲データによれば、水平および垂直の方向の電場成分を含む、アンテナ７１０の平均全電場強度は、折り畳まれた導電性ストリップ部分の平面に対して平行な平面上で方位角方向に走査したとき、平面的なリターン部分７７０の最長縁部寸法を７．６２ｃｍ（３インチ）から１５．２４ｃｍ（６インチ
）に増加させたことに応答してなどで、４０３．５ＭＨｚで約３ｄＢだけ向上させることができる。
【００４４】
リターン・ロスの向上など、アンテナ性能は、平面的なリターン部分７７０の全体寸法が、折り畳まれた導電性スタブ部分と同様の寸法を有する表面電流分布をなおサポートすることができる場合など、給電領域を、平面的なリターン部分７７０の水平方向縁部の隅部場所から平面的なリターン部分７７０の水平方向縁部の中点に移動することによってなどで、実現することができると考えられる。
【００４５】
図８は、平面負荷部分８５０に導電的に結合される折り畳まれた導電性ストリップ部分８６０を含むことができるマルチ・バンド平面アンテナ８１０の説明のための例の写真を含む。アンテナ８１０は、水平方向で平面的なリターン部分８７０の近傍に位置決めすることができる。折り畳まれた導電性ストリップ部分８６０、平面負荷部分８５０または平面的なリターン部分８７０の１つまたは複数は、平面的な誘電性部分８７５（たとえば、図８の例の誘電性発泡体）上に、またはその内に位置決めすることができる。ある例では、誘電性部分８７５は、プリント基板（ＰＣＢ）組立部の一部分からなる誘電性材料層、または１つまたは複数の他の誘電性材料を含むことができる。
【００４６】
図９は、平面負荷部分９５０に導電的に結合される折り畳まれた導電性ストリップ部分９６０を含むことができるマルチ・バンド平面アンテナ９１０の説明のための例の写真を含む。アンテナ９１０は、水平方向で平面的なリターン部分９７０の近傍に位置決めすることができる。アンテナ９１０は、アンテナ９１０からの放射の偏波ダイバーシティを高めるためなどで、折り畳まれた導電性ストリップ部分９６０中に屈曲部を含むことができる。ある例では、動作周波数の規定された範囲を設ける目的で、動作周波数の１つまたは複数の範囲を調節するためなどで、スタブ９６２を含めることができる。折り畳まれた導電性ストリップ部分９６０、平面負荷部分９５０、平面的なリターン部分９７０またはスタブ９６２の１つまたは複数は、平面的な誘電性部分９７５（たとえば、図９の例の誘電性発泡体）上に、またはその内に位置決めすることができる。ある例では、誘電性部分９７５は、プリント基板（ＰＣＢ）組立部の一部分からなる誘電性材料層、または１つまたは複数の他の誘電性材料を含むことができる。
【００４７】
図１０は、上記または下記の例の１つまたは複数に含まれるものなど、マルチ・バンド平面アンテナを形成する工程を含むことができる技術１０００（たとえば、装置によって実施することができる方法または一連の命令）を全体的に示す。１００２で、平面負荷部分は、打ち抜き加工、エッチングを介してなど、または１つまたは複数の他の技術を使用して、形成することができる。１００４で、平面負荷部分は、移植可能な、もしくは歩行用医療デバイス、セル方式の、もしくは無線の回路網、近接して、または遠隔に位置決めされたプログラマーもしくは患者モニタリング組立部、または１つまたは複数の他の組立部の１つまたは複数と通信するように構成される回路など、無線通信回路の駆動ノードに結合することができる。
【００４８】
１００６で、折り畳まれた導電性ストリップ部分は、上記および下記の例で議論するものなど、組み立て技術、または装置を含め、その１つまたは複数を使用してなどで、形成することができる。１００８で、折り畳まれた導電性ストリップ部分は、平面負荷部分に電気的に結合することができる（たとえば、導電的に結合する）。１０１０で、第１の規定された動作周波数の範囲は、アンテナの折り畳まれた導電性ストリップ部分に沿った全物理的経路長に対応するモードを使用してなどで、確立することができる。１０１２で、第２のより高い規定された動作周波数の範囲は、アンテナの折り畳まれた導電性ストリップ部分に沿った全物理的経路長の約半分に対応するモードを使用して、確立することができる。１０１４で、第２の、または別のより高い動作周波数の範囲の規定された帯域幅を
確立するために、少なくとも部分的に平面負荷部分を使用することができる。
【００４９】
図１１は、上記または下記の例の１つまたは複数中に含められるものなど、第１の軸に沿った（たとえば、それに対して平行である）第１の領域および第２の軸に沿った（たとえば、それに対して平行である）第２の領域を含むことができる、マルチ・バンド平面アンテナを形成する工程を含むことができる技術１１００を全体的に示す。１１０２で、平面アンテナの平面上で第１の軸に沿って方向付けられた第１の領域および平面アンテナの平面上で第２の軸に沿って方向付けられた第２の領域を含むものなど、折り畳まれた導電性ストリップ部分を形成することができる。１１０４で、アンテナの動作の基本モードを同調させるために少なくとも部分的に使用されるものなど、スタブを形成することができる。たとえば、スタブは、折り畳まれた導電性ストリップ部分に導電的に結合することができる。
【００５０】
ある例では、折り畳まれた導電性ストリップ部分は、通信回路の駆動ノードに結合することができる。たとえば、折り畳まれた導電性ストリップ部分は、ただし必要ではないが、平面負荷部分を介して通信回路に結合することができる。１１０６で、折り畳まれた導電性ストリップ部分に沿った全物理的経路長に対応するモードを使用するなどして、第１の規定された動作周波数の範囲を設けることができる。ある例では、折り畳まれた導電性ストリップ部分は、ただし必要ではないが、スタブに結合することができ、そして第１の規定された動作周波数の範囲は、折り畳まれた導電性ストリップ部分に沿った全物理的経路長によって、かつスタブを使用して設けることができる。
【００５１】
１１０８で、第２のより高い規定された動作周波数の範囲は、折り畳まれた導電性ストリップ部分の全物理的経路長の約半分に対応するモードを使用して、設けることができる。ある例では、技術１１００は、２つ以上のはっきりと区別できる規定された動作周波数の範囲をもたらすことができるアンテナを形成する工程を含むことができる。
様々な注記および例
ある例では、上記または下記の例のいずれかの第１のセグメント〜第４のセグメントの１つまたは複数を含む折り畳まれた導電性ストリップ部分、平面負荷部分、平面的なリターン部分またはスタブの１つまたは複数は、エッチングする、打ち抜く、蒸着させることができる、またはそうでなければ、プリント基板（ＰＣＢ）組立部の一部分として含められる誘電性層上に、またはその内に位置決めされる導電性の、または金属の層（たとえば、銅、アルミニウム、タングステンまたは他の伝導体の１つまたは複数）からなることなど、様々な技術を使用して形成することができる。プリント基板組立部の誘電性層は、ガラス・エポキシ積層板、セラミック材料、セラミック搭載ポリマー材料、ポリテトラフルオロエチレン（ＰＴＦＥ）材料、または１つまたは複数の他の材料、もしくは積層組立部の１つまたは複数を含むことができる。
【００５２】
ある例では、上記または下記の例のいずれかの平面的なリターン部分の隅部場所にある給電領域（または別の給電領域）は、無線通信回路の一部分として含まれるアンテナ・ポートに導電的に結合することができる。そのような導電性結合は、同軸給電部、または駆動ノードおよび基準ノードを含むものなど、他の伝送線もしくは導波構造物を含むことができる。無線通信回路は、アンテナと共有されることができるＰＣＢ組立部上に位置決めすることができる、または無線通信回路は、ケーブルまたは別の導電性の、もしくはリアクタンス性の結合を介してアンテナに接続されるところなど、どこかほかに位置決めすることができる。ある例では、上記または下記の例のいずれかの給電領域は、コネクター、またはアンテナを無線通信回路に結合するように構成される他の部分（たとえば、同軸コネクター、ハンダ付け可能な、もしくは溶接可能なパッドのアレイ、または１つまたは複数の他の電気的相互接続部）を含むことができる。
【００５３】
上記および下記の例は、直線状セグメントおよび折り畳まれた導電性ストリップ部分からなる直角部を含むことができる。しかし、たとえば円弧状またはそうでなければ湾曲したセグメント、丸められた隅部または面取りされた隅部を含むものなど、他のセグメントの形状または変遷部を使用することができる。
【００５４】
例１には無線で情報を転送するための平面アンテナからなる主題（装置など）が含まれ、平面アンテナは、無線通信回路の駆動ノードに結合されている、折り畳まれた導電性ストリップ部分を含んでなる。折り畳まれた導電性ストリップ部分は、互いから水平方向に偏移され互いと少なくとも部分的に水平方向に重なる少なくとも２つのセグメントと、平面アンテナの平面上で第１の軸に沿って方向付けられた第１の領域と、平面アンテナの平面上で第２の軸に沿って方向付けられた第２の領域とからなる。２つの軸と２つの領域は平面アンテナからの放射線の偏波ダイバーシティを与えるように特定される。例１において、平面アンテナは折り畳まれた導電性ストリップ部分に結合されたスタブを有し、折り畳まれた導電性ストリップ部分およびスタブは折り畳まれた導電性ストリップ部分に沿った物理的な経路全長に対応するモードを使用して与えられる第１の規定された周波数範囲であって、共振、またはその近傍の周波数範囲を与えるべく形成されている。折り畳まれた導電性ストリップ部分は物理的経路全長の約半分に対応するモードを使用して、共振で、またはその近傍で第２のより高い規定された動作周波数の範囲を確立するように構成される。
【００５５】
例２では、例１の主題は、無線通信回路の駆動ノードに平面負荷部分を通して結合されている、折り畳まれた導電性ストリップ部分を任意選択で含むことができる。平面負荷部分は無線通信回路の前記駆動ノードに対して遠位にある縁部を含んでなり、かつ第２の規定された動作周波数の範囲または別のより高い規定された動作周波数の範囲の規定された帯域幅を確立し、前記第１の規定された動作周波数の範囲を実質的に変えないままにして置くように構成される。
【００５６】
例３では、例１，２の主題は、有効波長の約１／４である、平面負荷部分の物理的長さを任意選択で有してもよく、該有効波長は、前記第１の規定された動作周波数の範囲と前記第２の規定された動作周波数の範囲の間の中間周波数に対応する。
【００５７】
例４では、例１〜３の１つ、またはいずれもの組み合わせの主題は、前記第２の規定された動作周波数の範囲、または別のより高い規定された動作周波数の範囲を与えるように構成される平面負荷部分の物理的幅を任意選択で有することができる。
【００５８】
例５では、例１〜４の１つ、またはいずれもの組み合わせの主題は、長方形をなし、折り畳まれた導電性ストリップ部分の物理的幅より広い物理的幅を任意選択で有する平面負荷部分を含むことができる。
【００５９】
例６では、例１〜５の１つ、またはいずれもの組み合わせの主題は、平面負荷部分に結合される第１の導電性セグメントと、第１のセグメントに結合される第２の導電性セグメントと、第２のセグメントに結合される第３の導電性セグメントと、第３のセグメントに結合される第４の導電性セグメントとからなる、折り畳まれた導電性ストリップ部分を任意選択で有していてもよい。
【００６０】
例７では、例１〜６の１つ、またはいずれもの組み合わせの主題は、第４のセグメントに結合されるスタブを任意選択で有する。
例８では、例１〜７の１つ、またはいずれもの組み合わせの主題は、第４のセグメントに結合されるスタブの物理長として任意選択で、スタブの第４のセグメントへの結合箇所を越える、第４のセグメントの遠位側の残りの部分の物理長にほぼ等しい長さを有してい
てもよい。
【００６１】
例９では、例１〜８の１つ、またはいずれもの組み合わせの主題は、任意選択で、規定された物理的幅を含む折り畳まれた導電性ストリップ部分を含むことができ、第１のセグメントは、その長さが、折り畳まれた導電性ストリップ部分の物理的幅の約３倍より短い。
【００６２】
例１０では、実施例１〜９の１つ、またはいずれもの組み合わせの主題は、任意選択で、規定された物理的幅を含む折り畳まれた導電性ストリップ部分を含むことができ、第３のセグメントは、その長さが該折り畳まれた導電性ストリップ部分のほぼその該物理的幅より短い。
【００６３】
例１１では、例１〜１０の１つ、またはいずれもの組み合わせの主題は、任意選択で、平面的な誘電性部分を含むことができ、折り畳まれた導電性ストリップ部分は、平面的な誘電性部分の共有される表面上に位置決めされる。
【００６４】
例１２では、例１〜１１の１つ、またはいずれもの組み合わせの主題は、任意選択で、平面的なリターン部分を含むことができ、該平面的なリターン部分は、前記無線通信回路のリターン・ノードに結合される。
【００６５】
例１３では、例１〜１２の１つ、またはいずれもの組み合わせの主題は、任意選択で、隅部場所で、またはその近傍で前記無線通信回路に結合される平面的なリターン部分を含むことができる。
【００６６】
例１４では、例１〜１３の１つ、またはいずれもの組み合わせの主題は、任意選択で、平面的なリターン部分の水平方向縁部の中点で、またはその近傍で無線通信回路に結合される平面的なリターン部分を含むことができる。
【００６７】
例１５では、例１〜１４の１つ、またはいずれもの組み合わせの主題は、任意選択で、動作周波数の前記第１の規定された範囲、前記第２の規定された範囲または前記別のより高い規定された範囲を使用して、かつ前記無線通信回路を使用して、前記平面アンテナと移植可能な医療デバイスの間で電磁気的に情報を無線で転送するように構成される平面アンテナを含むことができる。
【００６８】
例１６は、例１〜１５の１つ、またはいずれもの組み合わせの主題を含むことができる、または任意選択でそれと組み合わすことができ、それによって、外部組立部からなり、該外部組立部が、移植可能な医療デバイスと外部組立部の間で情報を無線で転送するように構成される無線通信回路と、該無線通信回路に結合される平面アンテナと、からなり、該平面アンテナが、移植可能な医療デバイスと外部組立部の間で情報を無線で転送するように構成され、該平面アンテナが、無線通信回路の駆動ノードに電気的に結合され、該無線通信回路の該駆動ノードに対して遠位である縁部を含む平面負荷部分と、該平面負荷部分に結合され、互いから水平方向に偏移され互いと少なくとも部分的に水平方向に重なる少なくとも２つのセグメントからなる折り畳まれた導電性ストリップ部分と、平面アンテナの平面上で第１の軸に沿って方向付けられた第１の領域と、平面アンテナの平面上で第２の軸に沿って方向付けられた第２の領域とからなる。２つの軸と２つの領域は平面アンテナからの放射線の偏波ダイバーシティを与えるように特定される。また、スタブが折り畳まれた導電性ストリップ部分に結合され、折り畳まれた導電性ストリップ部分およびスタブは、折り畳まれた導電性ストリップ部分に沿った物理的な経路全長に対応するモードを使用して与えられる第１の規定された周波数範囲であって、共振、またはその近傍の周波数範囲を与えるべく形成されている。折り畳まれた導電性ストリップ部分は物理的経路
全長の約半分に対応するモードを使用して、第２のより高い規定された、共振、またはその近傍にある動作周波数の範囲を与えるように構成される。
【００６９】
例１７は、例１〜１６の１つ、またはいずれもの組み合わせの主題を含むことができる、または任意選択でそれと組み合わすことができ、主題（方法、動作を実施するための手段、または機械によって実行されたとき、その機械に動作を実施させる命令を含む機械可読媒体）を含む。それによって、平面アンテナの折り畳まれた導電性ストリップ部分を形成する工程を有し、折り畳まれた導電性ストリップ部分は、互いから水平方向に偏移され互いと少なくとも部分的に水平方向に重なる少なくとも２つのセグメントと、平面アンテナの平面上で第１の軸に沿って方向付けられた第１の領域と、平面アンテナの平面上で第２の軸に沿って方向付けられた第２の領域とからなり、２つの軸と２つの領域は平面アンテナからの放射線の偏波ダイバーシティを与えるように特定される。例１７において、折り畳まれた導電性ストリップ部分に結合されたスタブを形成する工程と、折り畳まれた導電性ストリップ部分に沿った物理的な経路全長に対応するモードを使用して与えられる平面アンテナのための第１の規定された周波数範囲であって、共振、またはその近傍の周波数範囲を与える工程と、物理的経路全長の約半分に対応するモードを使用して、共振で、またはその近傍で第２のより高い規定された動作周波数の範囲をスタブを使用して与える工程とを含んでなる。
【００７０】
例１８において、例１７の主題は、平面アンテナの平面負荷部分を形成する工程と、平面負荷部分を無線通信回路の駆動ノードに電気的に結合する工程と、平面負荷部分は無線通信回路の駆動ノードから遠位の縁部を有することと、折り畳まれた導電性ストリップ部分を平面負荷部分を通して無線通信回路に電気的に結合する工程と、平面負荷部分を使用して、第２の規定された動作周波数の範囲または別のより高い規定された動作周波数の範囲の規定された帯域幅を与え、前記第１の規定された動作周波数の範囲を実質的に変えないままにして置く工程とを任意選択で有する。
【００７１】
例１９では、例１７〜１８の１つ、またはいずれもの組み合わせの主題は、平面負荷部分に結合される第１の導電性セグメントと、第１のセグメントに結合される第２の導電性セグメントと、第２のセグメントに結合される第３の導電性セグメントと、第３のセグメントに結合される第４の導電性セグメントとからなる折り畳まれた導電性ストリップ部分を任意選択で含むことができる。
【００７２】
例２０では、例１７〜１９の１つ、またはいずれもの組み合わせの主題は、スタブを第４の導電性セグメントに電気的に結合する工程を任意選択で有することができる。
例２１は、例１〜２０のいずれかの１つ、または複数のいずれかの部分のいずれもの部分またはいずれもの組み合わせを含むことができる、または任意選択でそれと組み合わすことができ、それによって、例１〜２０の機能のいずれか１つ、または複数を実施するための手段、または機械によって実行されたとき、その機械に例１〜２０の機能のいずれか１つ、または複数を実施させる命令を含む機械可読媒体を含む。
【００７３】
これらの非限定の例は、いずれかの置換または組み合わせで組み合わすことができる。上記の詳細な記述は、添付図面への参照を含み、それは、この詳細な記述の一部分を形成する。図面は、例示する目的で、本発明を実施することができる具体的な実施形態を示す。また、これらの実施形態は、本明細書では「例（ｅｘａｍｐｌｅ）」とも言う。かかる例は、示す、または述べる要素に加えて、要素を含むことができる。しかし、また、本発明者らは、これら示す、または述べる要素だけが提示される例を考えている。さらに、また、本発明者らは、本明細書に示す、または述べる特定の例（またはその１つまたは複数の態様）に関して、または他の例（またはその１つまたは複数の態様）に関して示す、または述べる要素のいずれかの組み合わせまたは置換を使用する例（またはその１つまたは
複数の態様）を考えている。
【００７４】
本明細書で参照するすべての刊行物、特許および特許文書は、まるでそれぞれ本明細書に組み込まれているかのように、その全体を本明細書に援用する。本明細書とこれらの援用する文書の間で矛盾する用法がある場合、援用するもの（複数可）の用法は、本明細書の用法に対する補足と見なすべきである。不一致がある場合、本明細書の用法が優先する。
【００７５】
本明細書では、用語「ａ」または「ａｎ」は、特許文書で共通であるように、「少なくとも１つ（ａｔ  ｌｅａｓｔ  ｏｎｅ）」または「１つまたは複数（ｏｎｅ  ｏｒ  ｍｏｒｅ）」のいずれもの他の事例または用法と独立して、１つというよりは１つまたは複数（ｏｎｅ  ｏｒ  ｍｏｒｅ  ｔｈａｎ  ｏｎｅ）を含むように使用する。本明細書では、用語「または（ｏｒ）」は、他に特段の規定がない限り、包括的なことを言うために使用する、または「ＡまたはＢ（Ａ  ｏｒ  Ｂ）」は、「Ａであるが、しかしＢでない（Ａ  ｂｕｔ  ｎｏｔ  Ｂ）」、「Ｂであるが、しかしＡでない（Ｂ  ｂｕｔ  ｎｏｔ  Ａ）」および「ＡおよびＢ（Ａ  ａｎｄ  Ｂ）」を含むように使用する。本明細書では、用語「含む（ｉｎｃｌｕｄｉｎｇ）」および「そのなかでは（ｉｎ  ｗｈｉｃｈ）」は、それぞれの用語「からなる（ｃｏｍｐｒｉｓｉｎｇ）」および「そのなかでは（ｗｈｅｒｅｉｎ）」の分かり易い英語の同等物として使用する。また、添付の特許請求の範囲では、用語「含む（ｉｎｃｌｕｄｉｎｇ）」および「からなる（ｃｏｍｐｒｉｓｉｎｇ）」は、オープン・エンドである、すなわち、請求項中で、要素を、そのような用語の後に列挙される要素に加えて含むシステム、デバイス、物品または方法（ｐｒｏｃｅｓｓ）は、その請求項の範囲内に含まれるとやはり見なされる。さらにまた、添付の特許請求の範囲では、用語「第１の（ｆｉｒｓｔ）」、「第２の（ｓｅｃｏｎｄ）」および「第３の（ｔｈｉｒｄ）」などは、単にラベルとして使用しており、それら対象物に対して数的な要件を課すように意図されない。
【００７６】
本明細書に述べる方法の例は、少なくとも部分的に機械またはコンピュータで実施することができる。いくつかの例は、上記の例で述べたように方法を実施するために電子デバイスを構成するように動作可能な命令を用いてエンコードされたコンピュータ可読媒体または機械可読媒体を含むことができる。かかる方法の実施態様は、マイクロコード、アセンブリー言語コード、高水準言語コードなど、コードを含むことができる。かかるコードは、様々な方法を実施するためのコンピュータ可読命令を含むことができる。コードは、コンピュータ・プログラム製品の部分を形成することができる。さらに、ある例では、コードは、実行の間、または他のときになど、１つまたは複数の揮発性の、非一時的な、または不揮発性の有体のコンピュータ可読媒体上に有体的に格納することができる。これらの有体のコンピュータ可読媒体の例は、ただし、これらに限定されないが、ハード・ディスク、リムーバブル磁気ディスク、リムーバブル光ディスク（たとえば、コンパクト・ディスクおよびデジタル・ビデオ・ディスク）、磁気カセット、メモリー・カードまたはスティック、ランダム・アクセス・メモリー（ＲＡＭ）、リード・オンリー・メモリー（ＲＯＭ）などを含むことができる。
【００７７】
上記の記述は、例示的であって、非限定的であると意図される。たとえば、上記に述べた例（またはその１つまたは複数の態様）は、互いと組み合わせて使用することができる。上記の記述を検討した際、当業者によってなど、他の実施形態を使用することができる。本概要は、読者が本技術的開示の性質を迅速に確認にすることを可能にするために、米国特許法施行規則１．７２（ｂ）に従って提示している。その概要は、それが請求項の範囲または趣旨を解釈する、または限定するために使用されないものという理解の下に提示する。また、上記の詳細な記述では、様々な特徴を、本開示を簡素化するために、一緒にまとめている場合がある。このことは、請求していない開示した特徴が、いずれかの請求
項に必須であることを意図するものと解釈すべきでない。むしろ、発明の主題は、具体的な開示した実施形態のすべての特徴より少ない特徴に在ることがある。したがって、添付の特許請求の範囲は、詳細な記述に援用され、各請求項が、別々の実施形態としてそれ自体を主張しており、そのような実施形態を様々な組み合わせまたは置換で互いと組み合わすことができると考えられる。本発明の範囲は、添付の特許請求の範囲を、こうした特許請求の範囲が享受する均等物の全範囲とともに参照して、決定すべきである。
【図１】
0005659320.tif 000002
【図２】
0005659320.tif 000003
【図３Ａ】
0005659320.tif 000004
【図４Ａ】
0005659320.tif 000005
【図５Ａ】
0005659320.tif 000006
【図６Ａ】
0005659320.tif 000007
【図７Ａ】
0005659320.tif 000008
【図８】
0005659320.tif 000009
【図９】
0005659320.tif 000010
【図１０】
0005659320.tif 000011
【図１１】
0005659320.tif 000012
【図３Ｂ】
0005659320.tif 000013
【図４Ｂ】
0005659320.tif 000014
【図５Ｂ】
0005659320.tif 000015
【図６Ｂ】
0005659320.tif 000016
【図７Ｂ】
0005659320.tif 000017